(57)【要約】【課題】くつを造る時に要する時間を短縮こと、手間を少なくしたりすることであり、素材の端切れの発生を殆ど無くすることである。【解決手段】  折り曲げ可能な平面素材１を、折り曲げて、くつの甲部５２とくつの左右側壁５３とくつのかかと部５４とくつの履き口部５５からなるくつのアッパー部５７を形成するとともにこのくつのアッパー部の下部に連続してくつの底部を形成して折り曲げ部と折り曲げ部とを接着剤で接着したものである。【選択図】図１
2015101085.tif 000002
【特許請求の範囲】
【請求項１】
折り曲げ可能な平面素材を、折り曲げて、くつの甲部とくつの左右側壁とくつのかかと部とくつの履き口部からなるくつのアッパー部を形成するとともに該くつのアッパー部の下部に連続してくつの底部を形成して折り曲げ部と折り曲げ部とを接着剤で接着したことを特徴とするくつ。
【請求項２】
平面素材が、布である請求項１のくつ。
【請求項３】
平面素材が、天然革又は合成革である請求項１のくつ。
【請求項４】
平面素材が、天然ゴム又は合成ゴムである請求項１のくつ。
【請求項５】
平面素材が、紙である請求項１のくつ。
【請求項６】
平面素材が、合成樹脂液を塗布した布又は天然革又は合成革又は天然ゴム又は合成ゴム又は紙である請求項１のくつ。
【請求項７】
平面素材が、合成樹脂フィルムを貼り合わせた布又は天然革又は合成革又は天然ゴム又は合成ゴム又は紙である請求項１のくつ。
【請求項８】
平面素材が、布、天然革、合成革、天然ゴム、合成ゴム、紙の素材から異なる素材又は同じ素材を複数枚貼り合わせた二層以上の素材である請求項１のくつ。
【請求項９】
くつの底部が、底部の下側に底材を接着剤で接着した請求項１のくつ。
【請求項１０】
くつの底材が、クッション性のある底材、防水性のある底材、刻みが深く多い底材、全体に厚みのある底材、前部と中央部の底材より後部が高いヒールの底材、全体に厚みが小さい底材、摩耗に強い堅牢な底材のうちから１つ以上から選択した底材である請求項９のくつ。
【発明の詳細な説明】
【技術分野】
【０００１】  この発明は、人が履く「くつ」に係るものである。
【背景技術】
【０００２】  従来は、「くつ」として革などの素材を使用して、くつの甲部とくつの左右側壁とくつの「かかと部」とくつの履き口部からなるくつのアッパー部を形成し、このアッパー部の下部に、革などの底材を縫合などして取り付けたものが一般に使用されている。【０００３】  従来のこれらのくつは、木型からパターンを作成した後に、各部品を裁断したり、縫合したりしてくつの上部であるアッパー部を作成し、このアッパー部の下部に、くつの底材など必要な部材を縫合などして取り付けていた。
【発明の概要】
【発明が解決しようとする課題】
【０００４】  この従来の「くつ」は、木型からパターンを作成する手間や時間が多くかかるという問題点があるとともに各部品を高価な革などの素材を裁断したり、縫合したりする手間や時間が多くかかるという問題点があった。
更に、素材を裁断した時に発生する素材の端切れが多く発生するために高価な素材の無駄が多くなるという問題点があった。【０００５】  この発明は、従来の「くつ」が有するこれらの問題点を解消することであり、これらの問題点を解消することにより、くつを造る時に要する時間を短縮したり、手間を少なくしたりすることである。更に、素材の端切れの発生を殆ど無くすることである。
【課題を解決するための手段】
【０００６】  折り曲げ可能な平面素材を、折り曲げて、くつの甲部とくつの左右側壁とくつのかかと部とくつの履き口部からなるくつのアッパー部を形成するとともにこのくつのアッパー部の下部に連続してくつの底部を形成して折り曲げ部と折り曲げ部とを接着剤で接着したものである。
【発明の効果】
【０００７】  この発明のくつは、折り曲げ可能な平面素材を、折り曲げて、くつの甲部とくつの左右側壁とくつのかかと部とくつの履き口部からなるくつのアッパー部を形成するとともにこのくつのアッパー部の下部に連続してくつの底部を形成して折り曲げ部と折り曲げ部とを接着剤で接着したから、平面素材を、折り曲げてアッパー部の下部に連続してくつの底部を形成するとともに折り曲げ部と折り曲げ部とを接着剤で接着することにより「くつ」を造る際に平面素材を裁断する必要がないという効果があるとともに平面素材を裁断する必要ないために平面素材の端切れが発生しないという効果がある。
そして、「くつ」を造る時間を短縮できるという効果があるとともに「くつ」を比較的簡単に造ることができるという効果があるし、平面素材の全部を有効に利用することができる。
更に、折り曲げ可能な平面素材を折り曲げ接着したくつは、重量が比較的軽いという効果がある。【０００８】  請求項２のくつは、平面素材が、布の平面素材からなる「くつ」であるから、布製くつを履く人は、布製くつを長期間にわたって履き心地が良い状態で履くことができる。【０００９】  請求項３のくつは、平面素材が、天然革又は合成革からなる「くつ」であるから、この革製くつを履く人は、革製くつを長期間にわたって従前の革製くつと同様に履き心地が良い状態で履くことができる。【００１０】  請求項４のくつは、平面素材が、天然ゴム又は合成ゴムからなる「くつ」であるから、このゴム製くつを履く人は、ゴム革製くつを長期間にわたって従前のゴム製くつと同様に履き心地が良い状態で履くことができる。【００１１】  請求項５のくつは、平面素材が、紙でからなる「くつ」であるから、この紙製くつを履く人は、紙製くつを長期間にわたって軽くい履き心地が良い紙製くつを履くことができる。【００１２】  請求項６のくつは、平面素材が、合成樹脂液を塗布した布または天然革または合成革また天然ゴムまたは合成ゴムまたは紙の素材からなる「くつ」であるから、この合成樹脂液を塗布した布製などのくつは、防水性もあるために雨ぐつや雪ぐつそして防寒ぐつなどとして長期間にわたって履き心地が良く履くことができる。【００１３】  請求項７のくつは、平面素材が、合成フィルムを貼った布または天然革または合成革また天然ゴムまたは合成ゴムまたは紙の素材からなる「くつ」であるから、この合成フィルムを貼った布製などのくつは、防水性もあるために雨ぐつや雪ぐつそして防寒ぐつなどとして長期間にわたって履き心地が良く履くことができる。【００１４】  請求項８のくつは、平面素材が、布、天然革、合成革、天然ゴム、合成ゴム、紙の素材から異なる素材又は同じ素材を複数枚貼り合せた素材からなる「くつ」であるから、これらのくつは、丈夫であるとに長期間にわたって履き心地が良く履くことができる。【００１５】  請求項９のくつは、くつの底部の下側に底材を接着剤で接着した「くつ」であるから、長期間にわたって履き心地が良く履くことができる。【００１６】  請求項１０のくつは、くつの底材が、クッション性のある底材、防水性のある底材、刻みが深く多い底材、全体に厚みのある底材、前部と中央部の底材より後部が高いヒールの底材、全体に厚みが小さい底材、摩耗に強い堅牢な底材のうちから１つ以上から選択した底材を、くつの底部の下側に、接着剤で接着した「くつ」であるから、それぞれのくつから履く人が好み、用途、天候などに合わせて選んで履くことができるとともに履き心地が良く履くことができる。【００１７】
【図面の簡単な説明】
【００１８】
【図１】  本発明品の斜視図である。
【図２】  平面素材の裏側の平面図である。
【図３】  平面素材の第１折り曲げ裏側の平面図である。
【図４】  平面素材の第２折り曲げ表側の平面図である。
【図５】  同じく第３折り曲げの平面図である。
【図６】  同じく第４折り曲げの平面図である。
【図７】  同じく第５折り曲げの平面図である。
【図８】  同じく第６折り曲げの平面図である。
【図９】  同じく第７折り曲げの平面図である。
【図１０】  同じく第８折り曲げの平面図である。
【図１１】  同じく第９折り曲げの平面図である。
【図１２】  同じく第１０折り曲げの平面図である。
【図１３】  同じく第１１折り曲げの平面図である。
【図１４】  同じく第１２折り曲げの平面図である。
【図１５】  同じく第１３折り曲げの平面図である。
【図１６】  同じく第１４折り曲げの平面図である。
【図１７】  同じく第１５折り曲げの平面図である。
【図１８】  同じく第１６折り曲げの平面図である。
【図１９】  同じく第１７折り曲げの平面図である。
【図２０】  同じく第１８折り曲げの平面図である。
【図２１】  同じく第１９折り曲げの平面図である。
【図２２】  同じく第２０折り曲げの平面図である。
【図２３】  同じく第２１折り曲げの平面図である。
【図２４】  同じく第２２折り曲げの平面図である。
【図２５】  別の本発明品の斜視図である。
【図２６】  更に別の本発明品の斜視図である。
【発明を実施するための形態】
【００１９】  くつは、折り曲げ可能な平面素材を、折り曲げて、くつの甲部とくつの左右側壁とくつのかかと部とくつの履き口部からなるくつのアッパー部を形成するとともにこのくつのアッパー部の下部に連続してくつの底部を形成して主要部の折り曲げ部と折り曲げ部とを接着剤で接着したものである。
【実施例１】
【００２０】  くつ１０は、図１に図示のように、平面素材を、折り曲げて、くつの甲部２とくつの左右側壁３，３とくつのかかと部４とくつの履き口部５からなるくつのアッパー部６を形成し、主要部の折り曲げ部と折り曲げ部とを接着剤で接着してくつ７を形成したくつである。【００２１】  この実施例１のくつは、平面素材を折り曲げて接着してくつを形成して造る時は、次のとおり折り曲げ接着してくつ５７を形成する。【００２２】  平面素材である４角形の平面素材である合成繊維布１を図２に図示とおり、裏返しして折り曲げ指定点Ａに、左側の角と右側の角を、それぞれ折り曲げて、合成繊維布１を図３の形状にする。【００２３】  図３の布を中央部の山折線（３−３）に沿って山折りして図４の形状にする。【００２４】  図４の布を中央部の谷折線（４−４）に沿って手前側の１枚を谷折りして図５の形状にする。【００２５】  図５の布を先ず、山折線（５１−５１）に沿って山折りし、次に、谷折線（５２−５２）に沿って、袋を開けるようにして谷折りして図６の形状にする。【００２６】  図６の布を先ず、谷折線（６−６）に沿って谷折りして図７の形状にする。【００２７】  図７の布を先ず、山折線（７−７）に沿って山折りして左側の角を中に折り込むことにより、図８の形状にする。【００２８】  図８の布を先ず、袋折りの要領で谷折線（８１−８１）に沿って谷折りし、次に山折線（８２−８２）に沿って山折りして谷折線（８３−８３）に沿って谷折りして図９の形状にする。【００２９】  図９の布を谷折線（９−９）に沿って谷折りして図１０の形状にする。【００３０】  図１０の布を山折線（１０−１０）に沿って山折りして右側の角を中に折り込むことにより図１１の形状にする。【００３１】  図１１の布を先ず谷折線（１１の１−１１の２）に沿って谷折りし、山折線（１１の２−１１の３）と山折線（１１の２−１１の３）と線（１１の２−１１の４）を山折りするとともに山折線（１１の２−１１の６）山折りし、次に谷折線（１１の５−１１の６）に沿って谷折りし、山折線（１１の６−１１の７）と山折線（１１の６−１１の８）山折りすることにより図１２の形状にする。【００３２】  図１２の布の指定点Ｂに、上部の左側と上部の右側とに引き出せる角があり、左辺（１２の１−Ｂ）と右辺（Ｂ−１２の２）の双方を引き出して図１３の形状にする。【００３３】  図１３の布を先ず、谷折線（１３の１−１３の１）に沿って谷折りし、次に、山折線（１３の２−１３の２）に沿って中割り折りの要領で折って図１４の形状にする。【００３４】  図１４の布を谷折線（１４−１４）に沿って谷折りして図１５の形状にする。【００３５】  図１５の布を先ず、（１５−１５）の線に沿っ（１５−１５）の線より下の部分を裏側に山折りして次に布を裏返しして、図１４の手順を左右反対で進めて再度裏返しして図１６の形状にする。【００３６】  図１６の布を、先ず、谷折線（１６−１６）に沿って手前の１枚を谷折りし、次に、中央から上に伸びて可動面Ｃの部分を傾け、同様に裏側の可動面も傾けて図１７の形状にする。【００３７】  図１７の布を袋を開くように折る要領で山折線（１７の１−１７の１）と山折線（１７の２−１７の２）に沿ってそれぞれ山折りし、谷折線（１７の３−１７の３）に沿って谷折りして図１８の形状にする。【００３８】  図１８の布を谷折線（１８−１８）に沿って谷折りの要領で、下の角を上の角に合わせるように折って図１９の形状にする。【００３９】  図１９の布を先ず、手前側の斜辺線（１９−１９の１）と手前側の斜辺線（１９の１−１９の２）を谷折線（１９−１９の２）で谷折りし、次に、布を裏返ししてこの図１９の手順を同じように折ってから、再度裏返しして図２０の形状にする。【００４０】  図２０の布を谷折線（２０−２０）に沿って被せ折りの要領で折って図２１の形状にする。【００４１】  図２１の布を先ず、手前側の斜辺（２１−２１の１）を線（２１の１−２１の２）を谷折りの要領で折ることにより、図１９の斜辺の元の位置に戻し、次に、布を裏返ししてこの図２１の手順を同じように折り進めて斜辺を戻してから、再度裏返しして図２２の形状にする。【００４２】  図２２の布を、先ず、谷折線（２２−２２）と山折線（２２の１−２２の１）をぞれぞれ谷折りと山折りをすることにより段折りを行い、次に、山折線（２２の２−２２の２）を中割り折りの要領で折って図２３の形状にする。【００４３】  図２３の布を先ず、山折線（２３の１−２３の１）に沿って、中割り折りの要領で折り、次に、指定点Ｄを中心としたＹ字型の３つの谷折線（Ｄ−２３の２）をそれぞれ谷折りするとともに山折線（２３の３−２３の３）と山折線（Ｄ−２３の４）それぞれ山折りし、この手順を裏側も行って、くつの履き口部５５を広げることにより図２４の形状にする。
このようにすることにより、立体的なくつの形状にする。【００４４】  図２４の布を斜線で示したくつの側壁から上に伸びているバンド５１を手前側と後方側からの両側からくつの甲部で履き口部寄りの箇所に足の形状に合うように湾曲することにより図１に図示した形状の「くつ」になる。【００４５】  図２５に図示したくつ６７は、斜線で底部以外の接着剤を塗布する箇所を図示したが、この接着剤を塗布する箇所は、くつを形成する平面素材の裏側の面と面が合わさる部分です。
このくつのバンド部分の接着面６１とくつの甲部分の接着面６２とくつの左右側壁の接着面６３とくつのかかとの接着面６４を接着することにより図２５に図示した形状の「くつ」になる。【００４６】  図２６に図示したくつは、バンド部分に点線で図示したとおり、１方のバンド部分の裏側の面に面ファスナー７８を貼り付けるとともに他方のバンド部分の表側の面に面ファスナーを貼り付ける。
そして、くつの中に中敷き７９を敷くとともにくつの底部に底材８０を接着剤で接着する。
【符号の説明】
【００４７】  １  平面素材の布
５１  くつのバンド
５２  くつの甲部
５３  くつの左右側壁
５４  くつのかかと部
５５  くつの履き口部
５６  くつのアッパー部
５７  くつ
【図１】
2015101085.tif 000003
【図２】
2015101085.tif 000004
【図３】
2015101085.tif 000005
【図４】
2015101085.tif 000006
【図５】
2015101085.tif 000007
【図６】
2015101085.tif 000008
【図７】
2015101085.tif 000009
【図８】
2015101085.tif 000010
【図９】
2015101085.tif 000011
【図１０】
2015101085.tif 000012
【図１１】
2015101085.tif 000013
【図１２】
2015101085.tif 000014
【図１３】
2015101085.tif 000015
【図１４】
2015101085.tif 000016
【図１５】
2015101085.tif 000017
【図１６】
2015101085.tif 000018
【図１７】
2015101085.tif 000019
【図１８】
2015101085.tif 000020
【図１９】
2015101085.tif 000021
【図２０】
2015101085.tif 000022
【図２１】
2015101085.tif 000023
【図２２】
2015101085.tif 000024
【図２３】
2015101085.tif 000025
【図２４】
2015101085.tif 000026
【図２５】
2015101085.tif 000027
【図２６】
2015101085.tif 000028